(57)【要約】【課題】スマートフォンなどの携帯端末に設ける装飾を容易に取り替えるための装飾シート素体及びカバー構造を提供する。【解決手段】携帯端末４２の背面４４と略同一形状のミシン目１２が形成されており、プリンタ２０による印刷が可能な装飾シート素体１０を用意する。装飾用のプリント部分１６が施されたシート素体１０から、前記ミシン目１２で囲まれた部分を切り離すことで装飾シート３０が得られる。印刷内容を変えれば、様々なプリント内容の装飾シート３０が容易に得られる。装飾シート３０は、携帯端末４０の背面４２と、透明材料で構成されるカバー体５０の背面部５２の間に、プリント部分１６がカバー体５０を向くように配置され、カバー体５０を携帯端末４０に装着する際に挟み込まれる。装着シート３０の縁部は、カバー体５０の側面５４Ａ〜５４Ｄによって、全周が覆われる。【選択図】図１
0003178216.tif 000002
【実用新案登録請求の範囲】
【請求項１】
装飾対象の携帯端末の背面部と略同一形状にミシン目が形成され、該ミシン目で囲まれた部分が切り離し可能であって、
少なくとも前記ミシン目で囲まれた部分が、プリンタによる印刷が可能な材質で形成されていることを特徴とする装飾シート素体。
【請求項２】
前記ミシン目で囲まれた部分に、前記携帯端末の撮影手段に相当する部分を切り離すための他のミシン目，
を設けたことを特徴とする請求項１記載の携帯端末の装飾シート素体。
【請求項３】
ミシン目で囲まれた部分にプリンタによって装飾用の印刷が施された請求項１記載の装飾シート素体から、前記ミシン目に沿って切り離された装飾シートと、
携帯端末の背面部を覆う透明な背面部と、前記装飾シートの縁部を全周にわたって被覆可能であって、少なくとも２ヶ所以上で前記携帯端末の側面部を表面部側にかけて覆う側面部とを有し、前記携帯端末に着脱可能に装着されるカバー体と、
を備えており、
前記携帯端末の背面部と、前記カバー体の背面部との間に、前記装飾シートが配置されたことを特徴とするカバー構造。
【請求項４】
ミシン目で囲まれた部分にプリンタによって装飾用の印刷が施された請求項２記載の装飾シート素体から、前記ミシン目に沿って切り離されるとともに、前記他のミシン目に沿って切り離した穴を有する装飾シートと、
携帯端末の背面部を覆う透明な背面部と、前記装飾シートの縁部を全周にわたって被覆可能であって、少なくとも２ヶ所以上で前記携帯端末の側面部を表面部側にかけて覆う側面部とを有し、前記携帯端末に着脱可能に装着されるとともに、前記背面部に、前記携帯端末の撮影手段に相当する位置に開口部が形成されたカバー体と、
を備えており、
前記携帯端末の背面部と、前記カバー体の背面部との間に、前記装飾シートが配置されたことを特徴とするカバー構造。
【考案の詳細な説明】
【技術分野】
【０００１】
本考案は、装飾シート素体及びカバー構造に関し、更に具体的には、スマートフォンなどの携帯端末用の装飾シート素体及びカバー構造に関するものである。
【背景技術】
【０００２】
携帯電話等の装飾を行うために、従来より、手軽に装飾できるシールタイプのものが使用されている。例えば、下記特許文献１には、金属箔表面上に不透明の印刷パターンと、透明カバー層とが形成された装飾用シールが開示されており、高級感を得るとともに装飾性の改善が図られている。一方、近年では、スマートフォンと呼ばれる高機能携帯電話が普及している。該スマートフォンは、従来の携帯電話よりも表示部分が広く、全体を保護するためのカバーやケースと併せて使用されることも多い。このようなケースとしては、例えば、下記特許文献２の第２図に示すような、樹脂製の保護枠体などがある。また、スマートフォンについても、従来の携帯電話等と同様に、シールを貼って装飾を施すことがある。
【先行技術文献】
【特許文献】
【０００３】
【特許文献１】特開２００７−２２０５０号公報（第１図）
【特許文献２】実用新案登録第３１７３５１４号公報（第２図）
【考案の概要】
【考案が解決しようとする課題】
【０００４】
しかしながら、以上のような背景技術には次のような不都合がある。まず、シールを貼り付ける方法は手軽ではあるが、装飾を取り替える場合には、使用中のシールの剥離と、新しいシールの貼付を行うため手間がかかる。また、交換を繰り返すうちに、粘着材等で携帯端末が汚れてしまうおそれがある。更に、シールの大きさや形状次第では、貼り付けの際に位置がずれ、携帯端末の所望の位置に貼り付けることが難しいこともある。一方、カバーやケースで携帯端末を保護する場合には、これらカバーやケース自体に設けられた模様等が装飾となる。この場合は、カバーやケース自体を交換しない限り、装飾を変えることはできない。
【０００５】
本考案は、以上のような点に着目したもので、スマートフォンなどの携帯端末に設ける装飾を容易に取り替えるための装飾シート素体及びカバー構造を提供することを、その目的とする。
【課題を解決するための手段】
【０００６】
本考案の装飾シート素体は、装飾対象の携帯端末の背面部と略同一形状にミシン目が形成され、該ミシン目で囲まれた部分が切り離し可能であって、少なくとも前記ミシン目で囲まれた部分が、プリンタによる印刷が可能な材質で形成されていることを特徴とする。主要な形態の一つは、前記ミシン目で囲まれた部分に、前記携帯端末の撮影手段に相当する部分を切り離すための他のミシン目，を設けたことを特徴とする。
【０００７】
本考案のカバー構造は、ミシン目で囲まれた部分にプリンタによって装飾用の印刷が施された請求項１記載の装飾シート素体から、前記ミシン目に沿って切り離された装飾シートと、携帯端末の背面部を覆う透明な背面部と、前記装飾シートの縁部を全周にわたって被覆可能であって、少なくとも２ヶ所以上で前記携帯端末の側面部を表面部側にかけて覆う側面部とを有し、前記携帯端末に着脱可能に装着されるカバー体と、を備えており、前記携帯端末の背面部と、前記カバー体の背面部との間に、前記装飾シートが配置されたことを特徴とする。
【０００８】
他の考案のカバー構造は、ミシン目で囲まれた部分にプリンタによって装飾用の印刷が施された請求項２記載の装飾シート素体から、前記ミシン目に沿って切り離されるとともに、前記他のミシン目に沿って切り離した穴を有する装飾シートと、携帯端末の背面部を覆う透明な背面部と、前記装飾シートの縁部を全周にわたって被覆可能であって、少なくとも２ヶ所以上で前記携帯端末の側面部を表面部側にかけて覆う側面部とを有し、前記携帯端末に着脱可能に装着されるとともに、前記背面部に、前記携帯端末の撮影手段に相当する位置に開口部が形成されたカバー体と、を備えており、前記携帯端末の背面部と、前記カバー体の背面部との間に、前記装飾シートが配置されたことを特徴とする。本考案の前記及び他の目的，特徴，利点は、以下の詳細な説明及び添付図面から明瞭になろう。
【考案の効果】
【０００９】
本考案によれば、装飾対象の携帯端末の背面部と略同一形状にミシン目が形成され、該ミシン目で囲まれた部分が、切離し可能かつプリンタによる印刷が可能な装飾シート素体を用意する。そして、前記ミシン目で囲まれた部分に装飾用の印刷が施された装飾用シート素体から、前記ミシン目に沿って切り離すことで装飾シートが得られる。切り離された装飾シートは、携帯端末の背面部と、該背面部を覆う透明の背面部を有するカバー体との間に配置される。このため、前記装飾用シート素体のミシン目の内側に印刷して切り離すだけで、所望の装飾シートが容易に得られる。また、携帯端末とカバー体の間に挟み込むだけなので、装飾シートの取付や交換が容易であり、印刷内容を変えれば、様々な雰囲気の装飾を楽しむことができる。なお、装飾シートは、縁部が前記カバー体の側面によって全周にわたって覆われているため、粘着材等を使用しなくても、位置ずれやカバー体からの脱落を防止できる。更に、装飾シートは、携帯端末の背面とカバー本体の間に挟むだけなので、携帯端末及びカバー本体の双方に傷や汚れが付くこともない。
【図面の簡単な説明】
【００１０】
【図１】図１(A)は、本考案の実施例１の装飾シート素体を示す平面図，(B)は装飾シート素体に印刷を施す様子を示す図，(C)は印刷後の装飾シート素体を示す平面図，(D)は前記(C)の装飾シート素体から、装飾シートを切り離した様子を示す平面図である。図１(E)は、前記実施例１の携帯端末のカバー構造を示す分解斜視図，図１(F)は携帯端末にカバー体を装着した状態を示す外観斜視図である。
【考案を実施するための形態】
【００１１】
以下、本考案を実施するための最良の形態を、実施例に基づいて詳細に説明する。
【実施例１】
【００１２】
最初に、図１を参照しながら本考案の実施例１を説明する。本考案の装飾シート素体及びカバー構造は、スマートフォンなどの携帯端末に装飾を設けるためのものである。図１(A)は、本実施例の装飾シート素体を示す平面図，図１(B)は装飾シート素体に印刷を施す様子を示す図である。図１(C)は印刷後の装飾シート素体を示す平面図，図１(D)は前記(C)の装飾シート素体から、装飾シートを切り離した様子を示す平面図である。図１(E)は、本実施例の携帯端末のカバー構造を示す分解斜視図，図１(F)は携帯端末にカバー体を装着した状態を示す外観斜視図である。
【００１３】
図１(A)に示すように、本実施例の装飾シート素体１０は、略長方形の紙に、図１(E)に示す携帯端末４０の背面４２と略同一形状のミシン目１２を設けた構造となっており、該ミシン目１２に沿ってシートが切り離し可能となっている。また、前記ミシン目１２の内側領域の一角（図１(A)では左上）には、前記携帯端末４０の背面４２に設けられたカメラのレンズ４６及び発光部４８に相当する領域を切り抜きするための他のミシン目１４が形成されている。前記装飾シート素体１０には、図１(B)に示すように、プリンタ１２で所望のプリント部分１６が印刷される。該プリント部分１６は、模様や図形，風景，写真など、プリンタ２０により印刷できるものであれば、どのようなものであってもよい。また、装飾シート素体１０は、プリンタ２０による印刷が可能な素材であればよい。
【００１４】
本実施例では、前記プリント部分１６は、図１(C)に示すように、前記ミシン目１２で囲まれた部分よりも若干外側にはみ出すように印刷される。すると、印刷範囲に若干位置ずれが生じたとしても、図１(D)に示すようにミシン目１２に沿って切り離したときに、シート全面に印刷が施されているようになるため見栄えがよい。印刷後のシートを、ミシン目１２によって切り離した部分が、装飾シート３０として利用される。また、装飾シート３０から前記ミシン目１４の内側部分を切り離すと、携帯端末４０のレンズ４６や発光部４８に相当する部分を露出するための穴３２が形成される。
【００１５】
次に、本実施例の携帯端末のカバー構造６０は、前記装飾シート素体１０から切り離された装飾シート３０とカバー体５０により構成される。前記カバー体５０は、図１(E)に示すように、携帯端末４０の背面４２を覆う背面部５２と、携帯端末４０の側面４４の長辺部分に相当する側面部５４Ａ，５４Ｂと、短辺部分に相当する側面部５４Ｃ，５４Ｄを有しており、全体が透明材料（例えば、プラスチックなど）によって構成されている。一対の側面部５４Ａ，５４Ｂの縁が、携帯端末４０の表面側に係合することにより、カバー体５０が携帯端末４０に着脱可能に装着される。一方、前記側面部５４Ｃ，５４Ｄは、長辺側の側面部５４Ａ，５４Ｂよりは浅く形成されているものの、携帯端末４０との間に挟み込む装飾シート３０の縁部を完全に覆うことができる深さに形成されている。また、前記カバー体５０の背面部５２には、携帯端末４０のレンズ４６及び発光部４８を露出するための開口部５６が設けられている。更に、前記側面部５４Ｂには、携帯端末４０の図示しない操作部を露出するための溝部５８が形成されている。
【００１６】
前記カバー体５０を携帯端末４０に装着するときには、携帯端末４０の背面４２と、カバー体５０の背面部５２との間に、装飾シート３０のプリント部分１６がカバー体５０側を向くように配置する。また、携帯端末４０のレンズ４６及び発光部４８と、装飾シート３０の穴３２と、カバー体５０の開口部５６の位置が合うようにする。このように位置を合せた状態でカバー体５０を携帯端末４０に装着すると、図１(F)に示すように、プリント部分１６が外側を向いた状態で固定される。前記装飾シート３０は、前記カバー体５０を外すことにより、簡単に交換できる。
【００１７】
このように、実施例１によれば、次のような効果がある。
(1)携帯端末４２の背面４４と略同一形状のミシン目１２が形成され、該ミシン目１２で囲まれた部分が、切離し可能かつプリンタ２０による印刷が可能な装飾シート素体１０を用意する。そして、ミシン目１２で囲まれた部分に装飾用のプリントが施されたシート素体１０から、前記ミシン目１２が囲まれた部分を切り離すことで装飾シート３０が得られる。印刷する内容を変えれば、様々なプリント内容の装飾シート３０が容易に得られる。
(2)前記装飾シート３０を、携帯端末４０の背面４２と、透明材料から構成されるカバー体５０の背面部５２の間に配置し、カバー体５０を携帯端末４０に装着する際に挟み込むこととした。このため、位置ずれなく、簡単に装飾シート３０を取り付けでき、交換も容易である。また、粘着材等を使用しないため、装飾シート３０を繰り返し交換しても、携帯端末４０やカバー５０体に傷や汚れが付着することがない。
【００１８】
(3)前記装飾シート３０は、その縁部が前記カバー体５０の側面５４Ａ〜５４Ｄによって、全周にわたって覆われるため、前記カバー体５０の背面部５２より小さく形成されているような場合であっても、粘着材等を使用することなく位置ずれを防止できる。また、粘着材等を使用しなくても、カバー体５０から脱落することがない。
(4)様々なプリント内容の装飾シート３０を用意しておくことにより、携帯端末４０のイメージチェンジを簡単に行うことができる。
(5)装飾シート素体１０の前記ミシン目１２の内側に、他のミシン目１４を設けて穴３２を形成可能としたので、携帯端末４０のカメラのレンズ４６や発光部４８を塞ぐことがない。
【００１９】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法，材料は一例であり、必要に応じて適宜変更してよい。例えば、本考案の装飾シート素体としては、プリンタ２０による印刷が可能な紙であれば、公知の各種のものを利用可能である。また、カバー体５０の透明は、無色透明のみならず有色透明であってもよく、模様を有するような透明，部分的な透明など、各種の形態であってもよい。
(2)前記実施例では、ミシン目１２の内側の全範囲にプリント部分１６を設けることしたが、これも一例であり、例えば、シートの質感や色を活かすように、ミシン目１２の内側部分の一部にのみ印刷を施すようにしてもよい。
【００２０】
(3)前記カバー体５０と携帯端末４０の装着機構も一例であり、同様の効果を奏する範囲内で適宜設計変更可能である。
(4)装飾シート素体１０に、ミシン目１２，１４以外の他のミシン目を設けるようにしてもよい。同様に、カバー体５０の背面部５２にも、開口部５４以外の開口部を設けてもよいし、側面部５４Ａの溝部５８以外の溝等を設けるようにしてもよい。
(5)本考案の装飾シート素体に印刷を施すプリンタ２０は、家庭用であってもよいし業務用であってもよい。
(6)前記実施例では、スマートフォンを例に挙げて説明したが、他の公知の各種の携帯端末，例えば、携帯電話，ＰＨＳ，タブレット端末，ノートＰＣ，携帯型オーディオプレーヤ，携帯型ゲーム機等にも、本考案は適用可能である。
【産業上の利用可能性】
【００２１】
本考案によれば、携帯端末の背面部と略同一形状にミシン目が形成され、該ミシン目で囲まれた部分が、切離し可能かつプリンタによる印刷が可能な装飾シート素体を用意する。そして、ミシン目で囲まれた部分に装飾用の印刷が施された装飾シート素体から、前記ミシン目に沿って切り離すことで装飾シートが得られる。切り離された装飾シートは、携帯端末の背面部と、該背面部を覆う透明の背面部を有するカバー体との間に配置され、カバー体を携帯端末に装着すれば固定される。また、装飾シートの縁部全周がカバー体の側面によって覆われるため、粘着材等を使用しなくても、位置ずれやカバー体からの脱落を防止できる。このため、携帯端末の装飾の用途に適用できる。
【符号の説明】
【００２２】
１０：装飾シート素体
１２，１４：ミシン目
１６：プリント部分
２０：プリンタ
３０：装飾シート
３２：穴
４０：携帯端末
４２：背面
４４：側面
４６：レンズ
４８：発光部
５０：カバー体
５２：背面部
５４Ａ〜５４Ｄ：側面部
５６：開口部
５８：溝部
６０：カバー構造
【図１】
0003178216.tif 000003